(57)【要約】【課題】特に汎用のアドレスセレクト端子を設けることなくチューナに対してアドレスの設定を可能とし、セット用の端子本数を削減する。【解決手段】チューナシステム１０は、チューナ１２のアドレスセレクト端子４２をＡＧＣ回路４６に対する入力端子として共用する。チューナ１２の制御ＩＣ３４は、電源投入時又は再起動時にスイッチング回路４４を操作し、アドレスセレクト端子４２の接続先をＩ２Ｃインタフェース３８に切り替える。この間、復調ＩＣ１４からＧＰＩＯ端子１４ｂを通じてアドレスセレクト用の電圧を供給し、アドレスの設定を行う。その後、アドレスセレクト端子４２の接続先をＡＧＣ回路４６に切り替え、復調ＩＣ１４からＡＧＣ電圧を供給する。【選択図】図１
2010153994.tif 000002
【特許請求の範囲】
【請求項１】
所定のアドレスセレクト端子に対して印加された電圧の状態に基づいて自己のアドレスを設定する機能を有したチューナと、このチューナから出力されるＩＦ信号を入力して復調する復調用ＩＣとを備えたチューナユニットの制御方法であって、
電源の投入又は再起動に伴い、電力の供給が開始された初期に前記チューナのアドレスセレクト端子に対してアドレスを設定するための電圧を供給するアドレス設定工程と、
前記チューナのアドレスを設定した後、前記アドレスセレクト端子をＩＦ信号の出力アンプに対するＡＧＣ入力端子に切り替えた状態でＡＧＣ電圧を供給する動作工程と
を有するチューナシステムの制御方法。
【請求項２】
自己のアドレスを指定するための電圧が印加されるアドレスセレクト端子と、
受信した放送信号に基づいて生成されたＩＦ信号を出力する出力アンプと、
前記出力アンプに対するゲインコントロールを行うＡＧＣ回路と、
電源の投入又は再起動に伴い、電力の供給が開始された初期に前記アドレスセレクト端子に印加される電圧の状態に基づいて自己のアドレスを設定した後、前記アドレスセレクト端子を前記ＡＧＣ回路の入力端子に切り替えて使用する制御回路と
を備えたチューナ。
【請求項３】
チューナにて受信した放送信号に基づいてＩＦ信号を生成し、このＩＦ信号を復調ＩＣにて復調するチューナシステムにおいて、
前記チューナは、
自己のアドレスを指定するための電圧が印加されるアドレスセレクト端子と、
受信した放送信号に基づいて生成されたＩＦ信号を出力する出力アンプと、
前記出力アンプに対するゲインコントロールを行うＡＧＣ回路と、
電源の投入又は再起動に伴い、電力の供給が開始された初期に前記アドレスセレクト端子に印加される電圧の状態に基づいて前記チューナに対して自己のアドレスを設定した後、前記アドレスセレクト端子を前記ＡＧＣ回路の入力端子に切り替えるチューナ制御回路とを備え、
前記復調ＩＣは、
電源の投入又は再起動に伴い、電力の供給が開始された初期に前記アドレスセレクト端子に対してアドレスを指定するための電圧を供給した後、前記アドレスセレクト端子に対してＡＧＣ電圧を供給することを特徴とするチューナシステム。
【請求項４】
請求項３に記載のチューナシステムにおいて、
前記復調ＩＣと前記チューナ制御回路とは、前記復調ＩＣが有するＧＰＩＯ端子を通じてＩ２Ｃバスとは別に接続されており、
前記復調ＩＣは、
前記ＧＰＩＯ端子を通じて前記アドレスセレクト端子に前記アドレスを指定するための電圧及び前記ＡＧＣ電圧をそれぞれ供給することを特徴とするチューナシステム。
【発明の詳細な説明】
【技術分野】
【０００１】
本発明は、自己のアドレスを設定するアドレスセレクト機能を有したチューナ、チューナと復調ＩＣとを備えたチューナシステム及びチューナシステムの制御方法に関する。
【背景技術】
【０００２】
従来、デジタル放送受信用のチューナにアドレスセレクト（ＡＳ）端子を設けることで、チューナに対して自己のアドレスを指定する先行技術が知られている（例えば、特許文献１参照。）。すなわちこの先行技術では、チューナに内蔵されたＭＯＰ（Ｍｉｘｅｒ  Ｏｓｃｉｌｌａｔｏｒ  ＰＬＬ）ＩＣにアドレスセレクト端子を設けておき、チューナをマザー基板にセットする際、マザー基板内でアドレスセレクト端子にＯｐｅｎ電位、Ｖｃｃ電位又はグランド電位のいずれかが与えられるものとなっている。このとき各電位は、チューナに対して自己のアドレス（例えば製造元、チューナ番号等）を設定する情報として利用することができる。
【０００３】
このため上記の先行技術によれば、例えば電源投入時にマイコンがアドレスセレクト端子をリードしたとき、そのときの電位（Ｏｐｅｎ電位、Ｖｃｃ電位又はグランド電位）に応じてチューナの製造元（又はチューナ番号、チューナ種別）を識別することができるので、マイコンは、それ以後の選局データのフォーマットをチューナの製造元の仕様に合わせて送信することができる。
【特許文献１】特開２００８−１９９４８１号公報
【発明の開示】
【発明が解決しようとする課題】
【０００４】
上述した先行技術のように、予めチューナに汎用のアドレスセレクト端子を設けておけば、チューナをマザー基板にセットする際、アドレスセレクト端子に与えられる電位の状態に応じて容易にアドレスを設定することができると考えられる。
【０００５】
しかしながら、汎用のアドレスセレクト端子がチューナに設けられていると、それだけ端子本数が増加するため、セット時の作業がかえって煩雑になってしまう。例えば、特にチューナに対してアドレスの設定をする必要がない場合であっても、標準で常にアドレスセレクト端子が設けられていれば、これをわざわざ半田付けするためだけにマザー基板にスルーホールを設けたり、ランドを形成したりする必要があり、それだけ無駄が多くなるという問題がある。
【０００６】
そこで本発明は、特に汎用のアドレスセレクト端子を設けることなくチューナに対してアドレスの設定を可能としつつ、セット用の端子本数を削減することができる技術を提供するものである。
【課題を解決するための手段】
【０００７】
解決手段１：本発明は、所定のアドレスセレクト端子に対して印加された電圧の状態に基づいて自己のアドレスを設定する機能を有したチューナと、このチューナから出力されるＩＦ信号を入力して復調する復調用ＩＣとを備えたチューナユニットの制御方法であって、以下の工程を有するものである。
【０００８】
（１）アドレス設定工程
この工程は、電源の投入又は再起動に伴い、電力の供給が開始された初期にチューナのアドレスセレクト端子に対してアドレスを設定するための電圧を供給するものである。
【０００９】
（２）動作工程
この工程は、上記（１）のアドレス設定工程でチューナのアドレスを設定した後、アドレスセレクト端子をＩＦ信号の出力アンプに対するＡＧＣ入力端子に切り替えた状態でＡＧＣ電圧を供給するものである。
【００１０】
上記のように本発明の制御方法によれば、各工程を通じて１つの端子をアドレスセレクト端子又はＡＧＣ入力端子のいずれかに使用（共用）することができるので、それぞれに専用の端子を設ける必要がない。また、共用とするチューナのアドレスセレクト端子は復調ＩＣに接続されているだけでよいので、端子の設置をチューナシステムの内部だけで済ませることができ、これを特にセット用の端子（外部接続用の端子）として汎用に設けておく必要がない。
【００１１】
解決手段２：本発明は、チューナ単独の構成とすることができる。すなわち本発明のチューナは、自己のアドレスを指定するための電圧が印加されるアドレスセレクト端子と、受信した放送信号に基づいて生成されたＩＦ信号を出力する出力アンプと、出力アンプに対するゲインコントロールを行うＡＧＣ回路と、電源の投入又は再起動に伴い、電力の供給が開始された初期にアドレスセレクト端子に印加される電圧の状態に基づいて自己のアドレスを設定した後、アドレスセレクト端子をＡＧＣ回路の入力端子に切り替えて使用する制御回路とを備えている。
【００１２】
本発明のチューナによれば、電源投入時又は再起動時にアドレスセレクト端子に印加される電圧の状態（例えばｈｉｇｈ又はｌｏｗ）に応じて自己のアドレスを設定した後、アドレスセレクト端子をＡＧＣ回路への入力端子に切り替えて通常の受信動作を実行することができる。このため、アドレスの指定用とＡＧＣ用にそれぞれ専用の端子を設ける必要がなく、それだけ端子数を少なくすることができる。
【００１３】
解決手段３：本発明は、チューナと復調ＩＣとを備えたチューナシステムとして構成することもできる。すなわち本発明は、チューナにて受信した放送信号に基づいてＩＦ信号を生成し、このＩＦ信号を復調ＩＣにて復調するチューナシステムである。
【００１４】
特にチューナは、自己のアドレスを指定するための電圧が印加されるアドレスセレクト端子と、受信した放送信号に基づいて生成されたＩＦ信号を出力する出力アンプと、出力アンプに対するゲインコントロールを行うＡＧＣ回路と、電源の投入又は再起動に伴い、電力の供給が開始された初期にアドレスセレクト端子に印加される電圧の状態に基づいてチューナに対して自己のアドレスを設定した後、アドレスセレクト端子をＡＧＣ回路の入力端子に切り替えるチューナ制御回路とを備えている。そして復調ＩＣは、電源の投入又は再起動に伴い、電力の供給が開始された初期にアドレスセレクト端子に対してアドレスを指定するための電圧を供給した後、アドレスセレクト端子に対してＡＧＣ電圧を供給する。
【００１５】
本発明のチューナシステムは、電源投入時又は再起動時においてアドレスセレクト端子をアドレスの設定に使用した後、これをＡＧＣ電圧の入力用に切り替えて使用することができる。これにより、システムとして必要な端子数を減らすことができる。また、チューナのアドレスセレクト端子は復調ＩＣと接続されていればよいので、これを外部端子として常に設けておく必要がない。
【００１６】
解決手段４：解決手段３のチューナシステムにおいて、復調ＩＣとチューナ制御回路とは、復調ＩＣが有するＧＰＩＯ端子を通じてＩ２Ｃバスとは別に接続されており、復調ＩＣは、ＧＰＩＯ端子を通じてアドレスセレクト端子にアドレスを指定するための電圧及びＡＧＣ電圧をそれぞれ供給することが好ましい。
【００１７】
上記の態様であれば、もともと復調ＩＣが有するＧＰＩＯ（Ｇｅｎｅｒａｌ  Ｐｕｒｐｏｓｅ  Ｉ／Ｏ）端子をアドレスセレクト端子との接続用に割り当てることで、より簡素な構成を実現することができる。この場合でも、例えば復調ＩＣ内部でＧＰＩＯ端子のレジスタを操作すれば、電源投入時や再起動時にＧＰＩＯ端子にアドレス設定用の電圧（ｈｉｇｈ又はｌｏｗのステータス）を任意に与えることができるので、チューナ制御回路において容易にアドレスの設定を行うことができる。またその後、ＧＰＩＯ端子は通常のＡＧＣ出力端子として使用することができるので、チューナとの接続を複雑化することなくアドレスの設定を行うことができる。
【発明の効果】
【００１８】
本発明によれば、特に専用の端子を設けることなく、チューナのアドレスを設定したり、その後に通常のＡＧＣ動作を実行したりすることができる。これにより、汎用の端子本数を少なくしてセット作業を容易化し、チューナやチューナシステムが組み込まれるセット製品（ＴＶセット、セットトップボックス等）の製造コストを削減することができる。
【発明を実施するための最良の形態】
【００１９】
以下、本発明の実施形態について図面を参照しながら説明する。
【００２０】
〔チューナシステムの構成〕
図１は、一実施形態のチューナシステム１０の構成例を概略的に示す図である。このチューナシステム１０は、主にチューナ１２と復調ＩＣ（Ｉｎｔｅｇｒａｔｅｄ  Ｃｉｒｃｕｉｔ）１４とで構成されており、このうちチューナ１２でデジタル放送信号（ＲＦ信号）を受信すると、これをＩＦ信号にダウンコンバートし、そして復調ＩＣ１４でＩＦ信号を復調処理してデジタル信号（例えば圧縮映像信号）を出力することができる。
【００２１】
〔チューナ〕
先ずチューナ１２について説明する。チューナ１２は、例えば図示しないアンテナを通じてＲＦ入力端子１６から入力されたＲＦ信号をＲＦアンプ１８で増幅し、次段のバンドパスフィルタ２０を通じてミキサ２２に入力する。なおＲＦアンプ１８の前段に別のフィルタが設けられていてもよい。またＲＦアンプ１８はゲインコントロールタイプであってもよい。
【００２２】
チューナ１２は局部発振器２４を有し、この局部発振器２４で発生された局部発振信号は、ミキサ２２でＲＦ信号と掛け合わされ、ＩＦ信号（中間周波数信号）に変換される。ＩＦ信号は、さらに次段のＩＦアンプ２６で増幅され、さらにＳＡＷ（表面弾性波）フィルタ２８で帯域制限された後、出力アンプ３０を通じて出力端子３２から復調ＩＣ１４に出力される。
【００２３】
〔チューナ制御回路〕
またチューナ１２には、主にＰＬＬコントロール用の制御ＩＣ３４が内蔵されている。すなわち制御ＩＣ３４は、ＰＬＬ回路３６を有しており、このＰＬＬ回路３６は、現在の受信チャンネルに応じて局部発振器２４の発信周波数を制御する。制御ＩＣ３４はＩ２Ｃインタフェース３８を有しており、受信チャンネルの指定は上記の復調ＩＣ１４からＩ２Ｃバス４０を通じて行われる。制御ＩＣ３４は、復調ＩＣ１４から受信チャンネルを指定する制御信号を受信すると、この制御信号に基づいてＰＬＬ回路３６の位相を制御する。
【００２４】
〔アドレスセレクト端子〕
チューナ１２はアドレスセレクト端子４２を有している。このアドレスセレクト端子４２は、制御ＩＣ３４内部のスイッチング回路４４に組み込まれている。スイッチング回路４４は、そのスイッチング動作に伴い、アドレスセレクト端子４２に供給された入力電圧をＩ２Ｃインタフェース３８又はＡＧＣ回路４６のいずれかに振り分ける。なおスイッチング回路４４のスイッチング動作は、制御ＩＣ３４が実行する処理を通じて制御される。
【００２５】
〔復調ＩＣ〕
復調ＩＣ１４は、上記のように出力端子３２からＩＦ信号を入力すると、これをサンプリング処理してデジタル復調する。このため復調ＩＣ１４には、水晶発振器４８が接続されており、復調ＩＣ１４は水晶発振器４８の発振信号をシステムクロックとして動作し、ＩＦ信号の復調処理を実行することができる。
【００２６】
〔ＧＰＩＯ端子〕
復調ＩＣ１４は、上記のＩ２Ｃバス４０に接続される出力端子１４ａの他に、ＧＰＩＯ端子１４ｂを有している。このＧＰＩＯ端子１４ｂがチューナ１２のアドレスセレクト端子４２に接続されており、復調ＩＣ１４は、ＧＰＩＯ端子１４ｂを通じてＡＧＣ電圧を供給する他、チューナ１２のアドレスを設定するための電圧を供給する。そしてチューナ１２の制御ＩＣ３４は、復調ＩＣ１４からアドレスセレクト端子４２に対して供給された電圧に基づき、自己のアドレスを設定することができる。以下、この点について説明する。また以下の説明により、チューナシステム１０の制御方法を実施するための工程が明らかとなる。
【００２７】
〔制御ＩＣの処理〕
チューナ１２の制御ＩＣ３４は、例えば以下の処理をプログラムとして実行する。図２は、制御ＩＣ３４が実行する処理（リセットスタートからの処理）の手順例を示すフローチャートである。以下、各手順に沿って説明する。
【００２８】
ステップＳ１０：チューナシステム１０に電源が投入されるか、もしくはチューナシステム１０が再起動すると、チューナ１２の制御ＩＣ３４は各種レジスタやメモリ（図示していない）を初期化する他、必要な初期化動作を行う。
【００２９】
ステップＳ１２：次に制御ＩＣ３４は、駆動電圧をモニタし、実際の電圧値が閾値Ｖａ（例えば、Ｖｃｃの７０％程度）に達したか否かを確認する。そして、駆動電圧が閾値Ｖａに達したことを確認すると（Ｙｅｓ）、制御ＩＣ３４は次のステップＳ１４に進む。
【００３０】
〔アドレス設定工程〕
ステップＳ１４：制御ＩＣ３４は、アドレスセレクト動作を開始する。具体的には、具体的には、制御ＩＣ３４は上記のスイッチング回路４４を操作し、アドレスセレクト端子４２の接続先をＩ２Ｃインタフェース３８に切り替える。
【００３１】
ステップＳ１６：次に制御ＩＣ３４は、アドレスセレクト端子４２に対して印加される電圧の状態を入力する。そして制御ＩＣ３４は、このときアドレスセレクト端子４２に印加された電圧の状態がｈｉｇｈ又はｌｏｗのいずれであるかに基づいて、チューナ１２のアドレスを設定する。例えば、電圧の状態が「ｈｉｇｈ」であればアドレスを「０１Ｈ」に設定し、電圧の状態が「ｌｏｗ」であればアドレスを「００Ｈ」に設定するといった具合である。なお、設定するアドレスはその他の値であってもよい。
【００３２】
ステップＳ１８：制御ＩＣ３４は、アドレスセレクト動作（アドレスの設定）が終了したか否かを確認する。未だ終了していなければ（Ｎｏ）、制御ＩＣ３４は上記のステップＳ１６に戻ってアドレスセレクト端子４２への入力を継続する。そしてアドレスセレクト動作が終了したことを確認すると（Ｙｅｓ）、制御ＩＣ３４は次のステップＳ２０に進む。
【００３３】
〔動作工程〕
ステップＳ２０：制御ＩＣ３４は、ＡＧＣ動作を開始する。具体的には、上記のスイッチング回路４４を操作し、アドレスセレクト端子４２の接続先をＡＧＣ回路４６に切り替える。これにより、以後のアドレスセレクト端子４２への入力電圧は、ＡＧＣ回路４６に対するＡＧＣ電圧となる。
【００３４】
ステップＳ２２：上記の手順を終えると、制御ＩＣ３４は定常処理に移行する。この処理では、制御ＩＣ３４はＡＧＣ回路４６を通じて上記の出力アンプ３０のゲインコントロール（ＡＧＣ動作）を行ったり、復調ＩＣ１４からの制御信号に基づいてＰＬＬ回路３６の位相を制御したりする。この間、次のリセットスタートまで制御ＩＣ３４は、先のステップＳ１６で設定した自己のアドレスをメモリ等に保持する。
【００３５】
〔復調ＩＣの処理〕
一方、復調ＩＣ１４は、例えば以下の処理をプログラムとして実行する。図３は、復調ＩＣ１４が実行する処理（リセットスタートからの処理）の手順例を示すフローチャートである。以下、各手順に沿って説明する。
【００３６】
ステップＳ１００：復調ＩＣ１４もまた、チューナシステム１０に電源が投入されるか、もしくはシステム１０が再起動すると、各種レジスタやメモリ（図示していない）を初期化する他、必要な初期化動作を行う。
【００３７】
〔アドレス設定工程〕
ステップＳ１０２：次に復調ＩＣ１４は、アドレスセレクト用の電圧を出力する。具体的には、復調ＩＣ１４は上記のＧＰＩＯ端子１４ｂの電圧をｈｉｇｈ又はｌｏｗのいずれかに切り替え、その状態を保持する。このとき電圧をｈｉｇｈ又はｌｏｗのいずれに切り替えるかは、復調ＩＣ１４のメモリに予め記憶させておいてもよいし、あるいは、他の制御ＩＣ（例えばセット側のＭＰＥＧデコーダ）から復調ＩＣ１４に対して指示されるアドレスに基づいて決定してもよい。
【００３８】
ステップＳ１０４：次に復調ＩＣ１４は、復調処理を開始するべきか否かを判断する。この判断は、例えば図示しないタイマによる経過時間（例えば電源投入又は再起動後５００ｍｓｅｃ等）に基づいて行うこともできるし、あるいは、チューナ１２からＩＦ信号が出力されたか否かに基づいて行うこともできる。
【００３９】
いずれにしても、未だ復調処理を開始するべきでないと判断した場合（Ｎｏ）、復調ＩＣ１４はステップＳ１０２に戻り、引き続きアドレスセレクト用の電圧を出力する。一方、復調処理を開始するべきであると判断すると（Ｙｅｓ）、復調ＩＣ１４は次のステップＳ１０６に進む。
【００４０】
〔動作工程〕
ステップＳ１０６：上記の手順を終えると、復調ＩＣ１４は復調処理に移行する。この処理では、復調ＩＣ１４はＩＦ信号を復調してデジタル信号を生成する。また復調ＩＣ１４は入力されたＩＦ信号のレベル変化に基づき、ＧＰＩＯ端子１４ｂを通じてＡＧＣ電圧を出力する。これにより、チューナ１２内部ではＡＧＣ回路４６を通じて出力アンプ３０のゲインコントロールが行われる。また復調ＩＣ１４は、他の制御ＩＣから送信された選局信号に基づき、受信チャンネルを指定する制御信号をＩ２Ｃバス４０に出力する。
【００４１】
〔システム動作〕
図４は、チューナシステム１０の動作に伴う各種状態の変化を示すタイミングチャートである。以下、図４に基づいてチューナシステム１０全体としての動作を説明する。なお図４の状態変化は、チューナシステム１０の電源投入後又は再起動後を基点として示されているものとする。
【００４２】
図４中（Ａ）：電源投入後又は再起動後、最初にチューナシステム１０の動作ステータスはアドレスセレクト（ＡＳ）となる。
【００４３】
図４中（Ｂ）：電源投入後又は再起動後、チューナシステム１０の駆動電圧が０Ｖから定常電圧Ｖｃｃに向けて立ち上がる。チューナシステム１０の動作ステータスとしてアドレスセレクト（ＡＳ）が開始されるのは、上記のように駆動電圧が閾値Ｖａにまで達した時点（時刻ｔ０）である。
【００４４】
この後、ある程度の時間が経過するまでの間（時刻ｔ０〜時刻ｔ１）、チューナシステム１０の動作ステータスはアドレスセレクト（ＡＳ）に維持される。この間にチューナシステム１０は、アドレスセレクト端子４２に印加される電圧の状態（ｈｉｇｈ又はｌｏｗ）をラッチする。
【００４５】
図４中（Ａ）：アドレスセレクト（ＡＳ）の動作ステータス終了後、チューナシステム１０の動作ステータスはＡＧＣ（Ａｕｔｏｍａｔｉｃ  Ｇａｉｎ  Ｃｏｎｔｒｏｌ）に移行する（時刻ｔ２）。
【００４６】
図４中（Ｃ）：動作ステータスがＡＧＣに移行すると、チューナシステム１０はＩ２Ｃバス４０を通じて受信チャンネルの制御信号の伝送を開始することができる。
【００４７】
図４中（Ｄ）：チューナシステム１０の動作ステータスがアドレスセレクト（ＡＳ）にある間（時刻ｔ０〜時刻ｔ１）、アドレスセレクト端子（ＡＳ／ＡＧＣ共用端子）に供給される電圧は、チューナ１２に対して設定するアドレスに依存する。したがって、この間の電圧は「ｌｏｗ（実線）」の場合もあるし、「ｈｉｇｈ（破線）」の場合もある。
【００４８】
いずれにしても、チューナシステム１０の動作ステータスがＡＧＣに移行すると（時刻ｔ２以降）、その後にアドレスセレクト端子（ＡＳ／ＡＧＣ共用端子）に対してＡＧＣ電圧が供給される。
【００４９】
上述した一実施形態によれば、チューナ１２内部での切り替えにより、チューナシステム１０のアドレスセレクト端子４２をＡＧＣ電圧の入力端子としても使用することができる。このため、それぞれに専用の端子を設けることなく、全体として端子本数を減らすことができる。
【００５０】
また、チューナ１２にアドレスセレクト用として汎用端子を設ける必要がないことから、チューナシステム１０が実装されるマザー基板に汎用端子向けのスルーホールや半田付けランド等を設ける必要もない。したがって、それだけ実装作業を簡略化し、また、セット品（ＴＶセットやセットトップボックス）の製造コスト低減に寄与することができる。
【００５１】
本発明は上述した実施形態に制約されることなく、各種の変形を伴って実施することができる。一実施形態で挙げたチューナシステム１０の構成はあくまで一例であり、例えばチューナ１２内部の具体的な回路構成は適宜に変形することができる。また、一実施形態では出力アンプ３０だけをゲインコントロールしているが、ＲＦアンプ１８を可変式とし、ＡＧＣ回路４６により合わせてＲＦアンプ１８のゲインコントロールを行ってもよい。
【図面の簡単な説明】
【００５２】
【図１】一実施形態のチューナシステムの構成例を概略的に示す図である。
【図２】チューナの制御ＩＣが実行する処理（リセットスタートからの処理）の手順例を示すフローチャートである。
【図３】復調ＩＣが実行する処理（リセットスタートからの処理）の手順例を示すフローチャートである。
【図４】チューナシステムの動作に伴う各種状態の変化を示すタイミングチャートである。
【符号の説明】
【００５３】
１０    チューナシステム
１２    チューナ
１４    復調ＩＣ
１４ｂ  ＧＰＩＯ端子
３０    出力アンプ
３４    制御ＩＣ（チューナ制御回路）
４０    Ｉ２Ｃバス
４２    アドレスセレクト端子
４６    ＡＧＣ回路
【図１】
2010153994.tif 000003
【図２】
2010153994.tif 000004
【図３】
2010153994.tif 000005
【図４】
2010153994.tif 000006